(57)【要約】【課題】簡単な構成で製造コストが低く、使用時には蛍光灯管に配設することにより蛍光灯管を高湿度または雨水が浸入しやすい環境に適応させることができる、密封装置を提供すること。【解決手段】蛍光灯管の密封装置は、圧入により照明管５に配設される密封カバー１を有し、密封カバー１内にはソケット本体３が設けられており、ソケット本体３と密封カバー１は緊密に嵌合され、ソケット本体３には導電ソケットコネクタ９が設置されており、導電ソケットコネクタ９はピン７０を挿入するための貫通孔９０を備え、密封カバー１の端部にはさらに電源線１１が設けられており、電源線１１と密封カバー１は液密に嵌合され、電源線１１内の導電線は導電ソケットコネクタ９に接続している。【選択図】図３
2011023351.tif 000002
【特許請求の範囲】
【請求項１】
圧入により照明管（５）に配設される密封カバー（１）を有し、前記密封カバー（１）内にはソケット本体（３）が設けられており、前記ソケット本体（３）と前記密封カバー（１）は緊密に嵌合され、前記ソケット本体（３）には導電ソケットコネクタ（９）が設置されており、前記導電ソケットコネクタ（９）はピン（７０）を挿入するための貫通孔（９０）を備え、前記密封カバー（１）の端部にはさらに電源線（１１）が設けられており、前記電源線（１１）と前記密封カバー（１）は液密に嵌合され、前記電源線（１１）内の導電線は前記導電ソケットコネクタ（９）に接続している、蛍光灯管の密封装置。
【請求項２】
前記電源線（１１）と前記密封カバー（１）は一体構成である、請求項１に記載の蛍光灯管の密封装置。
【請求項３】
前記密封カバー（１）端部の内側には前記電源線（１１）を固定するための固定環（１６）が延伸しており、前記固定環（１６）の内面には係止溝（１４）が設けられており、前記電源線（１１）の端部には前記係止溝（１４）に適合する係止端（１１０）が設けられている、請求項１または請求項２に記載の蛍光灯管の密封装置。
【請求項４】
前記密封カバー（１）の外面にはさらに、前記密封カバー（１）を束ねるための締付リング（１５）が設置されている、請求項１または請求項２に記載の蛍光灯管の密封装置。
【請求項５】
前記密封カバーの外面には周方向に延伸する凹溝（１２）が設けられており、前記締付リング（１５）は前記凹溝（１２）内に位置する、請求項４に記載の蛍光灯管の密封装置。
【請求項６】
前記締付リング（１５）の上端にはフック（１７）が固定されており、前記フック（１７）の板状壁には貫通孔（１７０）が開けられている、請求項４に記載の蛍光灯管の密封装置。
【請求項７】
前記密封カバー（１）内にはさらにソケットキャップ（１３）が設けられており、前記ソケットキャップ（１３）の外面の形状は、前記密封カバー（１）の内面の前記ソケットキャップ（１３）と接触する形状に適合し、かつ、前記ソケットキャップ（１３）の側壁は前記ソケット本体（３）の側壁に圧接する、請求項１または請求項２に記載の蛍光灯管の密封装置。
【発明の詳細な説明】
【技術分野】
【０００１】
本発明は、蛍光灯管の密封装置に関する。
【背景技術】
【０００２】
トンネルや都市照明等のように高湿度または雨水が浸入しやすい環境で蛍光灯を使用する場合には、高い湿度や雨水の浸入により、外部の湿度または雨水が出線孔や管頭部分の隙間から照明管内に進入しやすく、照明管内の電子部品の酸化や、ひいては回路の短絡を招きうる。このような欠陥の改良として、２００７年２月２６日付の特許文献１には、「ＬＥＤ照明管の密封キャップであって、キャップ本体を有し、当該キャップ本体の辺縁にはＬＥＤ照明管の端部を覆うことができる凹溝が設けられており、かつ、凹溝の内壁とＬＥＤ照明管の側壁との間に、密封剤を注入できる間隙が保たれるように、凹溝はＬＥＤ照明管の幅よりやや広く；キャップ本体内には密封剤を注入できる固定溝が設けられており、前記固定溝内にはキャップ本体の側面に沿って信号線及び電源線を通すための出線孔が設けられている」と開示されている。
【０００３】
２００７年１２月１１日付の特許文献２にも、「ＬＥＤ照明管の管端密封装置であって、キャップを有し、当該キャップは、弾性の凸縁が内側に向かって延伸して凸リングを形成しており、照明管の端部は凸リング内に挿入され、凸リングと照明管の間には防水リングが設けられており、凸リングの外部には凹リングが緊密に嵌合されており、凹リングは凸リングを照明管外周の防水リングに押し付けて凸リングを照明管と密封固定し、キャップ内には照明管の線を通すための通線路が設けられており、通線路の出線孔はキャップの底部に位置する」と開示されている。
【０００４】
しかしながら、上記の構成はいずれも照明管と密封装置が一体の装置であって分離できないため、これらの装置は防水及び防湿が不要な環境（すなわち、比較的乾燥した環境）での使用には適さず、使用した場合には大きな浪費を招きうる。このため、企業は製造時に、顧客の異なるニーズに応えるために通常の蛍光灯管と上記の構成の蛍光灯管とを用意する必要がある。また、これらの装置は構成も比較的複雑で、製造コストが高い。 
【先行技術文献】
【特許文献】
【０００５】
【特許文献１】中国実用新案公告第２０１０１４４００号明細書
【特許文献２】中国特許出願公告第１０１１９６２８７号明細書
【発明の概要】
【発明が解決しようとする課題】
【０００６】
本発明は、従来の技術における不備に対し、簡単な構成で製造コストの低い蛍光灯管の密封装置を提供する。使用時には、本発明を蛍光灯管に配設して、蛍光灯管を高湿度または雨水が浸入しやすい環境に適応させることが可能である。
【課題を解決するための手段】
【０００７】
本発明は以下の技術的解決手段によって上記の技術的課題を解決する。
【０００８】
蛍光灯管の密封装置であって、照明管に配設される密封カバーを有し、密封カバー内にはソケット本体が設けられており、ソケット本体と密封カバーは緊密に嵌合され、ソケット本体には導電ソケットコネクタが設置されており、導電ソケットコネクタはピンを挿入するための貫通孔を備え、密封カバーの端部にはさらに電源線が設けられており、電源線と密封カバーは液密に嵌合され、電源線内の導電線は導電ソケットコネクタに接続する。
【０００９】
改良として、電源線と密封カバーは一体構成であり、この構成は密封カバーに確実な防水防湿性能を持たせて、密封カバーの密封効果を最適化することが可能である。
【００１０】
改良として、密封カバー端部の内側には電源線を固定するための固定環が延伸しており、固定環の内面には周方向に沿って係止溝が設置されており、電源線の端部には係止溝に適合する係止端が設けられており、この好ましい構成は、電源線が水平方向の力を受けた場合に、電源線の脱落を防止するとともに、密封カバーと電源線との密封性も強化している。
【００１１】
改良として、密封カバーの外面にはさらに、密封カバーを束ねるための締付リングが設置されており、密封カバーと照明管をより緊密に嵌合させて、より良好な防水防湿効果を得ることが可能である。
【００１２】
改良として、密封カバーの外面には周方向に延伸する凹溝が設けられており、締付リングは凹溝内に位置する。
【００１３】
改良として、締付リングの上端にはフックが固定されており、フックの板状壁には貫通孔が開けられており、蛍光灯管を所要の位置に取り付けるのに便利である。
【００１４】
改良として、密封カバー内にはさらにソケットキャップが設置されており、ソケットキャップの外面の形状は、密封カバーの内面のソケットキャップと接触する形状に適合し、かつ、ソケットキャップの側壁はソケット本体の側壁に圧接し、密封カバーを支持する作用をさらに奏することが可能である。これにより密封カバーは圧力を受けた場合に容易に変形しない。
【発明の効果】
【００１５】
本発明は、従来の技術と比較して、以下のような有益な効果を備える： 
１）本発明の密封装置と蛍光灯管とは着脱可能に接続され、密封装置を設置された蛍光灯管は、トンネルや都市照明等のように高湿度または雨水が浸入しやすい環境に適応し、良好な防水防湿性能を備える。それに対し、寝室やオフィス等の比較的乾燥した環境において用いる場合には、密封装置を取り外しさえすれば通常の蛍光灯管として使用することが可能である。取り外しは簡単で、使用は便利であり、適用範囲が広い。
【００１６】
２）本発明は構成が簡単で、製造コストが低い。
【図面の簡単な説明】
【００１７】
【図１】本発明に係る密封装置を適用した蛍光灯の概略図
【図２】本発明に係る密封装置を適用した蛍光灯の分解概略図
【図３】本発明に係る密封装置を適用した蛍光灯の断面図
【発明を実施するための形態】
【００１８】
以下、図面と具体的な実施の形態を組み合わせて、本発明についてさらに詳細に説明する。
【００１９】
図１〜３を参照する。蛍光灯管の密封装置は、密封カバー１を有し、前記密封カバー１は照明管５に配設するための開口１０を備え、他方の端部は徐々に窄まって細口となっている。密封カバー１は、圧入により照明管５に配設されやすいように、ＴＰＲを用いて製造される。もちろん、密封カバー１は軟性の他の材料を用いて製造されてもよい。密封カバー１内にはソケット本体３が設けられており、ソケット本体３の外面は密封カバー１の内面に圧接している。すなわち、ソケット本体３の外面と密封カバー１の内面は緊密に配置されている。また、ソケット本体３はＡＢＳ硬質材料を用いて製造される。このようにして、ソケット本体３は、密封カバー１の支持部材として、密封カバー１の着脱過程において、手やその他の外力の押圧を受けて変形することを防ぐことが可能である。
【００２０】
ソケット本体３には二つの導電ソケットコネクタ９が設置されており、導電ソケットコネクタ９は管頭７の二つのピン７０を挿入するための貫通孔９０を備える。本発明は、加工時には、導電ソケットコネクタ９を二つの中空の円柱形銅管に加工し、銅管はソケット本体３の側壁に取り付ける。二つの貫通孔９０の中心距離は管頭７の二つのピン７０の距離と等しいことは言うまでもない。密封カバー１内にはさらにソケットキャップ１３が設置されており、ソケットキャップ１３の外面の形状は、密封カバー１の内面のソケットキャップ１３と接触する形状に適合し、かつ、ソケットキャップ１３の側壁はソケット本体３の側壁に圧接している。すなわち、ソケット本体３とソケットキャップ１３を嵌合させると、それらの外面は密封カバー１の内面と緊密に嵌合して密封カバー１に対して支持作用を奏し、力を受けた場合つまり圧力を加えられた場合に変形しない。ソケット本体３とソケットキャップ１３は、噛み合い嵌合であっても、一体成型してもよく、加工が便利である。
【００２１】
密封カバー１の端部にはさらにカプセル鋳造により電源線１１を有し（ここで言うカプセル鋳造とは、まず電源線の型に材料を注入して電源線１１を成型し、電源線１１は成型が完成してこの型から取り出された後、再度密封カバー１の型に入れられて二次鋳造により成型されることを指す）、これらを一体構成にする。これにより、密封カバー１の密封効果を最適化し、確実な防水防湿性能を実現することが可能である。もちろん、その他の方式によって電源線を密封カバー１の端部に設置してもよい。例えば、密封カバー１に貫通孔を開け、電源線１１を圧入によりこの貫通孔を通過させ、液密に嵌合させる（ここで言う液密に嵌合とは、両者の結合が緊密で、液体が密封カバー１と電源線１１の接続箇所から密封カバー１内に進入できないことを指す）。本発明は電源線１１の長さを５００ｍｍとする。もちろん、長さは実際の必要に応じて決定してもよい。好ましくは、密封カバー１端部の内側には電源線１１を固定するための固定環１６が延伸しており、固定環１６の内面にはさらに、周方向に延伸する二つの係止溝１４が設けられており、電源線１１の端部には係止溝１４に適合する係止端１１０が設けられており、電源線１１が水平方向の力を受けた場合に、電源線１１の脱落を防止するとともに、密封カバー１と電源線１１との密封効果を強化する。電源線１１内の導電線は導電ソケットコネクタ９にそれぞれ接続する（導電線は図示しない）。
【００２２】
密封カバー１の外面にはさらに、周方向に延伸する凹溝１２が設けられており、凹溝１２内には密封カバー１を束ねるための締付リング１５が設けられており、締付リング１５の上端にはナットによってフック１７が固定されており、フック１７の板状壁には蛍光灯を所要の位置に取り付けるための貫通孔１７０が開けられている。
【００２３】
トンネルや都市照明等のように高湿度または雨水が浸入しやすい環境で蛍光灯を使用する場合には、密封カバー１を照明管５の外面に配設するとともに、ピン７０を導電ソケットコネクタ９に設置された貫通孔９０に挿入し、その後締付リング１５により締付けて、密封カバー１を照明管５の外面により緊密に嵌合させる。こうして良好な密封効果を奏することにより、防水防湿効果を奏する。それに対し、寝室やオフィス等の比較的乾燥した環境において用いる場合には、密封装置を取り外して通常の蛍光灯管として使用することが可能である。材料の浪費を避けるとともに、取り外しが便利で、使用が簡単である。
【符号の説明】
【００２４】
１  密封カバー
３  ソケット本体
５  照明管
９  導電ソケットコネクタ
１１  電源線
１２  凹溝
１３  ソケットキャップ
１４  係止溝
１５  締付リング
１６  固定環
１７  フック
７０  ピン
９０、１７０  貫通孔
１１０  係止端
【図１】
2011023351.tif 000003
【図２】
2011023351.tif 000004
【図３】
2011023351.tif 000005